(57)【要約】【課題】  顧客が自分で計算することなく、所定の期間内の出金情報を得ることができる自動取引装置を提供する。【解決手段】  取引の実行に必要な情報を顧客に知らせる顧客操作部１１を備えた自動取引装置において、取引が実行される口座における、所定の期間内の出金情報を顧客操作部１１に表示する。この出金情報は、出金された金額の総額、あるいは出金限度額と出金総額との差額である。【選択図】  図１
2006092142.tif 000002
【特許請求の範囲】
【請求項１】
取引の実行に必要な情報を顧客に知らせる表示部を備えた自動取引装置において、
取引が実行される口座における、所定の期間内の出金情報を前記表示部に表示することを特徴とする自動取引装置。
【請求項２】
前記出金情報は、出金された金額の総額である請求項１記載の自動取引装置。
【請求項３】
前記出金情報は、出金限度額と出金総額との差額である請求項１記載の自動取引装置。
【請求項４】
前記出金限度額は、口座毎に設定される請求項３記載の自動取引装置。
【請求項５】
前記所定の期間は、取引が実行された月と同一月である請求項１、又は請求項２、又は請求項３記載の自動取引装置。
【請求項６】
前記所定の期間の設定は、口座毎に行われる請求項１、又は請求項２、又は請求項３記載の自動取引装置。
【請求項７】
前記出金された金額の総額を表示するか否かは、選択により行われる請求項２記載の自動取引装置。
【請求項８】
前記出金限度額と出金総額との差額を前記表示部に表示するか否かは、選択により行われる請求項３記載の自動取引装置。
【発明の詳細な説明】
【技術分野】
【０００１】
本発明は、取引の実行に必要な情報を顧客に知らせる表示部を備えた自動取引装置に関する。
【背景技術】
【０００２】
従来、金融機関等で使用されている自動取引装置においては、例えばＩＤカードを使用して出金取引を行う場合、顧客操作部に表示された取引項目から顧客が「出金取引」を選択し、ＩＤカードを自動取引装置内に挿入する。続いて顧客による本人確認のための暗証番号の入力、及び出金金額の入力が行われる。そしてホストコンピュータへの問い合わせにより取引成立となると、自動取引装置はＩＤカードを顧客に返却し、取引内容を印字した明細票を発行すると共に、紙幣入出金口のシャッター、及び硬貨入出金口のシャッターを開き、顧客が指定した金額の紙幣、及び硬貨の払い出しを行う。なお、明細票の発行が行われない場合には顧客操作部に取引が行われた口座の残高を表示し、顧客に口座残高を知らせている。
【０００３】
また、利用者の口座に対して振込みや引落し処理が行われた時の金額や残高等を表す取引経過データをホストコンピュータから現金自動取引装置へ転送し、ディスプレイに表示させる現金自動取引装置がある（例えば、特許文献１参照。）。
【特許文献１】特開平８−０３０７０５号公報
【発明の開示】
【発明が解決しようとする課題】
【０００４】
上記従来の自動取引装置においては、出金取引後、取引内容を印字した明細票の発行が行われる。あるいは顧客操作部に取引口座の残高が表示される。更にはディスプレイに取引経過データが表示されるだけなので、顧客が所定の期間内に出金した金額の総額を知ろうとした場合、あるいは出金限度額と出金総額との差額を知ろうとした場合、通帳に記帳されている出金金額や、保管しておいた明細票から自分で計算しなければならないという問題点があった。
【課題を解決するための手段】
【０００５】
上記課題を解決するために本発明で設けた解決手段は、取引の実行に必要な情報を顧客に知らせる表示部を備えた自動取引装置において、取引が実行される口座における、所定の期間内の出金情報を前記表示部に表示するものである。
【発明の効果】
【０００６】
本発明によれば、取引が実行される口座における、所定の期間内の出金情報を表示部に表示することにより、顧客に対して、所定の期間内の出金情報を知らせることができる。その結果、顧客は自分で計算することなく、所定の期間内の出金情報を得ることができる。
【発明を実施するための最良の形態】
【０００７】
以下、本発明の実施例を図面に従って説明する。なお、各図面に共通する要素には同一の符号を付す。
【実施例１】
【０００８】
自動取引装置１の構成について説明する。図１は実施例１の顧客操作部の表示状態を示す説明図、図２は実施例１の自動取引装置を示す外観斜視図、図３は実施例１の自動取引装置の構成を示すブロック図である。図２、図３において、自動取引装置１には、カード処理部２と、通帳記帳部４と、明細票処理部６と、紙幣入出金部８と、硬貨入出金部９と、顧客操作部１１と、音声案内部１２と、記憶部１５と、インターフェース部１６と、電源部１９と、接近検知器１７と、主制御部１８が設けられている。
【０００９】
カード処理部２は、顧客の所有するＩＤカード３が挿入された場合に、ＩＤカード３に記憶されている顧客の口座番号や氏名等の顧客情報、金融機関のコードを読み出す機能を有する。カード処理部２の前面側にはカード挿入排出口２ａが設けられており、ここでＩＤカード３の挿入および排出が行なわれる。そしてカード挿入排出口２ａには、排出されたＩＤカード３が顧客により抜き取られたことを検出する図示せぬ検出センサが設けられている。
【００１０】
通帳記帳部４は、通帳挿入排出口４ａから挿入される顧客の通帳５に取引内容を印字するもので、通帳５に記載された情報を読み取る機能や情報の更新を行なう機能、さらには印字頁行の検出や改頁を行う機能を有する。ここで処理された通帳５は通帳挿入排出口４ａに排出される。そして通帳挿入排出口４ａには、排出された通帳５が顧客により抜き取られたことを検出する図示せぬ検出センサが設けられている。明細票処理部６は、取引明細の印字を行って顧客に対して取引明細票の発行処理を行なうものである。
【００１１】
紙幣入出金部８は、入金取引時に顧客から入金される紙幣を真偽鑑別、計数し、搬送して図示しない金庫に金種別に収納すると共に、出金取引時に顧客に支払われる紙幣を金庫から繰出すものである。紙幣入出金部８と紙幣入出金口とは図示しない紙幣搬送路により接続されている。紙幣入出金口は、顧客が紙幣を投入し、または顧客に支払われる紙幣が送り込まれる部分であり、紙幣入出金口の上部には開閉可能なシャッター８ａが設けられており、紙幣入出金口の内部には、紙幣が顧客により抜き取られたことを検出する図示せぬ検出センサが設けられている。
【００１２】
硬貨入出金部９は、入金取引時に顧客から入金される硬貨を真偽鑑別、計数し、搬送して図示しない金庫に金種別に収納すると共に、出金取引時に顧客に支払われる硬貨を金庫から繰出すものである。硬貨入出金部９と硬貨入出金口とは図示しない硬貨搬送路により接続されている。硬貨入出金口は、顧客が硬貨を投入し、または顧客に支払われる硬貨が送り込まれる部分であり、硬貨入出金口の上部には開閉可能なシャッター９ａが設けられており、硬貨入出金口の内部には、硬貨が顧客により抜き取られたことを検出する図示せぬ検出センサが設けられている。
【００１３】
顧客操作部１１は、自動取引装置１の前部に設けられており、この顧客操作部１１は顧客に対する操作誘導等を表示する表示部と、取引科目や金額等を入力するためのタッチパネル部とで構成される。表示部には取引科目である「ご入金」、「ご出金」、「お振込み」、「残高照会」、「通帳記帳」等が表示され、顧客は所望の表示部分に軽く触れることで取引科目を選択する。音声案内部１２は、音声によって操作案内を行うもので、自動取引装置１の正面側に設けられたスピーカ１２ａから音声を出力する。
【００１４】
記憶部１５は、各種の制御を行なうためのプログラムが記憶されたＲＡＭやＲＯＭまたはフレキシブルディスクなどで構成されている。インターフェース部１６は、上位装置であるホストコンピュータ２０との接続口である。電源部１９は、自動取引装置１内の各部に電源を供給する。接近検知器１７は、自動取引装置１の前部に設けられており、顧客が自動取引装置１へ接近したことを検知する。
【００１５】
主制御部１８は、マイクロコンピュータ等で構成されており、カード処理部２と、通帳記帳部４と、明細票処理部６と、紙幣入出金部８と、硬貨入出金部９と、音声案内部１２と、記憶部１５と、インターフェース部１６と、電源部１９と、接近検知器１７と接続されており、各部を制御している。
【００１６】
ホストコンピュータ２０は、自動取引装置１のインターフェース部１６と通信回線２２により接続され、顧客毎の口座番号や預貯金残高情報などを記憶している記憶部２１を有する。
【００１７】
そして本実施例の自動取引装置１においては、取引が実行される口座における、所定の期間内に出金された金額の総額を顧客操作部１１に表示する機能を備えている。
【００１８】
次に上記構成における自動取引装置１の動作について説明する。ここでは顧客が出金取引を選択した場合の動作を説明する。なお、今回の取引では通帳は自動取引装置１内に挿入されないものとする。図４、図５、図６、図７、図８、図９は実施例１の顧客操作部の表示状態を示す説明図である。
【００１９】
図２、図３において、顧客が自動取引装置１に接近してくると、接近検知器１７によりその接近が検知され、主制御部１８に顧客の接近を知らせることを示す信号が送信される。主制御部１８はこの信号を受けて顧客操作部１１に図４に示す顧客誘導画面を表示させる。
【００２０】
ここで顧客が「ご出金」を選択すると、主制御部１８は出金取引処理を実行する。従って、主制御部１８は通帳５の挿入案内とＩＤカード３の挿入案内を行う。これに従って顧客はＩＤカード３をカード挿入排出口２ａに挿入する。続いて暗証番号の入力案内が行われ、これに従って顧客が顧客操作部１１から暗証番号を入力すると、出金取引が行われることと、ＩＤカード３から読み取った口座番号と、暗証番号がインターフェース部１６と通信回線２２を介してホストコンピュータ２０へ送られて、出金に必要な処理と本人確認が行なわれる。
【００２１】
ホストコンピュータ２０は暗証番号の照合により取引を行おうとする顧客が取引口座の所有者本人であることを確認すると、取引が実行される口座における、所定の期間内に、本実施例においては今回の取引が実行された月と同一月、例えば今回の取引が９月１２日であれば９月１日から９月１２日までの間に出金された金額を記憶部２１から読み出し、読み出した出金金額を合計し、通信回線２２を介して自動取引装置１へと送信する。
【００２２】
主制御部１８はインターフェース部１６を介してホストコンピュータ２０から出金金額の総額を受信すると、顧客操作部１１に図１に示すような出金金額の入力案内画面を表示させる。この出金金額の入力案内画面に、ホストコンピュータ２０から受信した９月の出金金額の総額表示を行う。これにより、顧客に対して、所定の期間内に出金された金額の総額を知らせることができる。
【００２３】
その後、顧客が顧客操作部１１から出金金額を入力し、確認ボタン２９に触れると、取引口座の残高との照合が行われた後、主制御部１８の指示により紙幣入出金部８、及び硬貨入出金部９が払出し動作を行なう。
【００２４】
ここで主制御部１８はＩＤカード３、支払い紙幣、及び硬貨の排出を行う。すなわち、ＩＤカード３のカード挿入排出口２ａへの移動、支払い紙幣の紙幣入出金口への移動、及び支払い硬貨の硬貨入出金口への移動が行なわれる。そして、カード挿入排出口２ａからＩＤカード３の排出を行う。これにより、顧客はＩＤカード３を自動取引装置１から受け取る。また、自動取引装置１は紙幣入出金口のシャッター８ａ、及び硬貨入出金口のシャッター９ａを開き、紙幣、及び硬貨を抜き取り可能状態とする。これにより、顧客は紙幣、及び硬貨を自動取引装置１から受け取り、今回の取引は終了となる。
【００２５】
なお、顧客誘導画面で顧客が「ご出金」を選択すると、次の画面で図５に示すように、出金総額の表示を行うか否かを選択する画面を表示しても良い。そして顧客が「希望する」を表示した箇所に触れ、出金金額の総額を表示することが顧客により選択されたときにのみ、主制御部１８は出金取引処理時に、出金金額の総額を表示させるようにしても良い。
【００２６】
また、出金金額を合計する期間は、顧客操作部１１からの顧客による入力により設定されるようにしても良い。この場合、主制御部１８は顧客操作部１１に顧客誘導画面を表示する際に、合わせて図６に示すような出金金額合計期間設定ボタン２４を表示するようにする。そして、顧客が出金金額合計期間設定ボタン２４に触れて選択すると、主制御部１８は出金金額を合計する期間を設定する処理を実行する。
【００２７】
従って、主制御部１８はＩＤカード３の挿入案内を行う。これに従って顧客はＩＤカード３をカード挿入排出口２ａに挿入する。続いて暗証番号の入力案内が行われ、これに従って顧客が顧客操作部１１から暗証番号を入力すると、続いて主制御部１８は、図７に示すような出金金額の総額を合計する期間を設定する画面を顧客操作部１１に表示させる。そしてこの画面から顧客が出金金額を合計する期間を入力し、確認ボタン２５に触れると、出金金額を合計する期間と、ＩＤカードから読み取った口座番号と、暗証番号がインターフェース部１６と通信回線２２を介してホストコンピュータ２０へ送られて、出金金額を合計する期間の設定に必要な処理と本人確認が行なわれる。
【００２８】
ホストコンピュータ２０は暗証番号の照合により出金金額を合計する期間を設定しようとする顧客が口座の所有者本人であることを確認すると、指定された口座の出金金額を合計する期間の設定を行う。この処理が終了するとホストコンピュータ２０は、処理が終了したことを示す信号を通信回線２２を介して自動取引装置１に送信する。
【００２９】
主制御部１８はインターフェース部１６を介してホストコンピュータ２０から処理が終了したことを示す信号を受信すると、顧客操作部１１に金額の総額を合計する期間の設定が終了したことを示す表示を行わせる。
【００３０】
更に、所定の期間内に出金された金額の総額を顧客操作部１１に表示することは、出金取引時に限られず、出金された金額の総額を顧客操作部１１に表示するのみの取引を設定しても良い。この場合、主制御部１８は顧客操作部１１に顧客誘導画面を表示する際に、合わせて図８に示すような出金総額表示ボタン２６を表示するようにする。そして、顧客が出金総額表示ボタン２６に触れて選択すると、主制御部１８は所定の期間内に出金された金額の総額を顧客操作部１１に表示する処理を実行する。
【００３１】
従って、主制御部１８はＩＤカード３の挿入案内を行う。これに従って顧客はＩＤカード３をカード挿入排出口２ａに挿入する。続いて暗証番号の入力案内が行われ、これに従って顧客が顧客操作部１１から暗証番号を入力すると、所定の期間内に出金された金額の総額を顧客操作部１１に表示することと、ＩＤカード３から読み取った口座番号と、暗証番号がインタフェース部１６と通信回線２２を介してホストコンピュータ２０へ送られて、出金された金額の総額を顧客操作部１１に表示するために必要な処理と本人確認が行なわれる。
【００３２】
ホストコンピュータ２０は暗証番号の照合により出金金額の総額を顧客操作部１１に表示させることを望んでいる顧客が口座の所有者本人であることを確認すると、指定された口座において、所定の期間内に、本実施例においては今回の取引が実行された月と同一月に出金された金額を記憶部２１から読み出し、読み出した出金金額の総額を通信回線２２を介して自動取引装置１へと送信する。
【００３３】
主制御部１８はインターフェース部１６を介してホストコンピュータ２０から出金金額の総額を受信すると、顧客操作部１１に図９に示すような出金金額の総額を表示させる。これにより、今回の取引は終了となる。
【００３４】
以上本発明の実施例１においては、顧客操作部１１に所定の期間内の出金金額の総額を表示することにより、顧客に対して、所定の期間内に出金した金額の総額を知らせることができる。その結果、顧客は自分で計算することなく、所定の期間内に出金した金額の総額を知ることができる。
【実施例２】
【００３５】
次に本発明の実施例２について説明する。なお、上記実施例１と同様の箇所の説明は省略する。図１０、図１１は実施例２の顧客操作部の表示状態を示す説明図である。
【００３６】
本実施例２の自動取引装置１において、上記実施例１と異なる点は、口座毎に出金限度額を設定し、該出金限度額と、所定の期間内の出金総額との差額を顧客操作部１１に表示する点である。
【００３７】
前記出金限度額は、顧客が自動取引装置１から入力することにより設定される。以下、出金限度額の設定手順について説明する。
【００３８】
自動取引装置１の主制御部１８は顧客操作部１１に顧客誘導画面を表示する際に、図１０に示すような出金限度額設定ボタン２７を合わせて表示するようにする。そして、顧客が出金限度額設定ボタン２７に触れて選択すると、主制御部１８は出金限度額を設定する処理を実行する。
【００３９】
従って、主制御部１８はＩＤカード３の挿入案内を行う。これに従って顧客はＩＤカード３をカード挿入排出口２ａに挿入する。続いて暗証番号の入力案内が行われ、これに従って顧客が顧客操作部１１から暗証番号を入力すると、続いて主制御部１８は、図１１に示すような出金限度額を設定する画面を顧客操作部１１に表示させる。そしてこの画面から顧客が出金限度額を入力し、確認ボタン２８に触れると、出金限度額と、ＩＤカード３から読み取った口座番号と、暗証番号がインターフェース部１６と通信回線２２を介してホストコンピュータ２０へ送られて、出金限度額の設定と本人確認が行なわれる。
【００４０】
ホストコンピュータ２０は暗証番号の照合により出金限度額を設定しようとする顧客が口座の所有者本人であることを確認すると、指定された口座の出金限度額の設定を行い、記憶部２１に口座に対応させて記憶しておく。このようにして、出金限度額の設定が行われる。
【００４１】
次に上記構成における自動取引装置１の動作について説明する。ここでは顧客が出金取引を選択した場合の動作を説明する。なお、今回の取引では通帳は自動取引装置１内に挿入されないものとする。図１２、図１３、図１４、図１５は実施例２の顧客操作部の表示状態を示す説明図である。
【００４２】
図２、図３において、顧客が自動取引装置１に接近してくると、接近検知器１７によりその接近が検知され、主制御部１８に顧客の接近を知らせることを示す信号が送信される。主制御部１８はこの信号を受けて顧客操作部１１に図４に示す顧客誘導画面を表示させる。
【００４３】
ここで顧客が「ご出金」を選択すると、主制御部１８は出金取引処理を実行する。従って、主制御部１８は通帳５の挿入案内とＩＤカード３の挿入案内を行う。これに従って顧客はＩＤカード３をカード挿入排出口２ａに挿入する。続いて暗証番号の入力案内が行われ、これに従って顧客が顧客操作部１１から暗証番号を入力すると、出金取引が行われることと、ＩＤカード３から読み取った口座番号と、暗証番号がインタフェース部１６と通信回線２２を介してホストコンピュータ２０へ送られて、出金に必要な処理と本人確認が行なわれる。
【００４４】
ホストコンピュータ２０は暗証番号の照合により取引を行おうとする顧客が取引口座の所有者本人であることを確認すると、取引が実行される口座における、所定の期間内に、本実施例においては今回の取引が実行された月と同一月、例えば今回の取引が９月１２日であれば９月１日から９月１２日までの間に出金された金額を記憶部２１から読み出し、読み出した出金金額を合計し、記憶部２１に予め記憶されている本取引口座の出金限度額との差額を算出する。そして該差額を通信回線２２を介して自動取引装置１へと送信する。
【００４５】
主制御部１８はインターフェース部１６を介してホストコンピュータ２０から出金限度額と出金総額との差額を受信すると、顧客操作部１１に図１２に示すような出金金額の入力案内画面を表示させる。この出金金額の入力案内画面に、ホストコンピュータ２０から受信した出金限度額と９月の出金総額との差額の表示を行う。これにより、顧客に対して、出金限度額と出金総額との差額を知らせることができる。
【００４６】
その後、顧客が顧客操作部１１から出金金額を入力し、確認ボタン３０に触れると、取引口座の残高との照合が行われた後、主制御部１８の指示により紙幣入出金部８、及び硬貨入出金部９が払出し動作を行なう。
【００４７】
ここで主制御部１８はＩＤカード３、支払い紙幣、及び硬貨の排出を行う。すなわち、ＩＤカード３のカード挿入排出口２ａへの移動、支払い紙幣の紙幣入出金口への移動、及び支払い硬貨の硬貨入出金口への移動が行なわれる。そして、カード挿入排出口２ａからＩＤカード３の排出を行う。これにより、顧客はＩＤカード３を自動取引装置１から受け取る。また、自動取引装置１は紙幣入出金口のシャッター８ａ、及び硬貨入出金口のシャッター９ａを開き、紙幣、及び硬貨を抜き取り可能状態とする。これにより、顧客は紙幣、及び硬貨を自動取引装置１から受け取り、今回の取引は終了となる。
【００４８】
なお、本実施例２においても、上記実施例１と同様に、顧客誘導画面で顧客が「ご出金」を選択すると、次の画面で図１３に示すように、出金限度額と出金総額との差額の表示を行うか否かを選択する画面を表示するようにしても良い。そして顧客が「希望する」を表示した箇所に触れ、出金限度額と出金総額との差額の表示を行うことが顧客により選択されたときにのみ、主制御部１８は出金取引処理時に、出金限度額と出金総額との差額を表示させるようにしても良い。
【００４９】
また、上記実施例１と同様に、出金金額を合計する期間は、顧客操作部１１からの顧客による入力により設定されるようにしても良い。この場合の期間の設定方法は、上記実施例１における、顧客が出金金額を合計する期間を設定する方法と同様であり、主制御部１８は顧客操作部１１に顧客誘導画面を表示する際に、合わせて出金金額合計期間設定ボタンを表示するようにする。そして、顧客が出金金額合計期間設定ボタンに触れて選択すると、主制御部１８は出金金額を合計する期間を設定する処理を実行する。
【００５０】
なお、これ以降の処理も上記実施例１における、顧客が出金金額を合計する期間を設定する方法と同様であるので、説明は省略する。
【００５１】
更に、上記実施例１と同様に、所定の期間内の出金限度額と出金総額との差額を顧客操作部１１に表示することは、出金取引時に限られず、出金限度額と出金総額との差額を顧客操作部１１に表示するのみの取引を設定しても良い。この場合、主制御部１８は顧客操作部１１に顧客誘導画面を表示する際に、合わせて図１４に示すような出金限度額差額表示ボタン３１を表示するようにする。そして、顧客が出金限度額差額表示ボタン３１に触れて選択すると、主制御部１８は所定の期間内の出金限度額と出金総額との差額を顧客操作部１１に表示する取引を実行する。
【００５２】
従って、主制御部１８はＩＤカード３の挿入案内を行う。これに従って顧客はＩＤカード３をカード挿入排出口２ａに挿入する。続いて暗証番号の入力案内が行われ、これに従って顧客が顧客操作部１１から暗証番号を入力すると、所定の期間内の出金限度額と出金総額との差額を顧客操作部１１に表示することと、ＩＤカード３から読み取った口座番号と、暗証番号がインタフェース部１６と通信回線２２を介してホストコンピュータ２０へ送られて、出金限度額と出金総額との差額を顧客操作部１１に表示するために必要な処理と本人確認が行なわれる。
【００５３】
ホストコンピュータ２０は暗証番号の照合により出金限度額と出金総額との差額を顧客操作部１１に表示させることを望んでいる顧客が口座の所有者本人であることを確認すると、指定された口座において、所定の期間内に、本実施例においては今回の取引が実行された月と同一月に出金された金額を記憶部２１から読み出し、読み出した出金金額を合計し、記憶部２１に予め記憶されている本取引口座の出金限度額との差額を算出する。そして該差額を通信回線２２を介して自動取引装置１へと送信する。
【００５４】
主制御部１８はインターフェース部１６を介してホストコンピュータ２０から出金限度額と出金総額との差額を受信すると、顧客操作部１１に図１５に示すような出金限度額と出金総額との差額を表示させる。これにより、今回の取引は終了となる。
【００５５】
以上本発明の実施例２においては、顧客操作部１１に出金限度額と出金総額との差額を表示することにより、顧客に対して、出金限度額と出金総額との差額を知らせることができる。その結果、顧客は自分で計算することなく、出金限度額と出金総額との差額を知ることができる。
【図面の簡単な説明】
【００５６】
【図１】実施例１の顧客操作部の表示状態を示す説明図である。
【図２】実施例１の自動取引装置を示す外観斜視図である。
【図３】実施例１の自動取引装置の構成を示すブロック図である。
【図４】実施例１の顧客操作部の表示状態を示す説明図である。
【図５】実施例１の顧客操作部の表示状態を示す説明図である。
【図６】実施例１の顧客操作部の表示状態を示す説明図である。
【図７】実施例１の顧客操作部の表示状態を示す説明図である。
【図８】実施例１の顧客操作部の表示状態を示す説明図である。
【図９】実施例１の顧客操作部の表示状態を示す説明図である。
【図１０】実施例２の顧客操作部の表示状態を示す説明図である。
【図１１】実施例２の顧客操作部の表示状態を示す説明図である。
【図１２】実施例２の顧客操作部の表示状態を示す説明図である。
【図１３】実施例２の顧客操作部の表示状態を示す説明図である。
【図１４】実施例２の顧客操作部の表示状態を示す説明図である。
【図１５】実施例２の顧客操作部の表示状態を示す説明図である。
【符号の説明】
【００５７】
１    自動取引装置
１１  顧客操作部
１８  主制御部
【図１】
2006092142.tif 000003
【図２】
2006092142.tif 000004
【図３】
2006092142.tif 000005
【図４】
2006092142.tif 000006
【図５】
2006092142.tif 000007
【図６】
2006092142.tif 000008
【図７】
2006092142.tif 000009
【図８】
2006092142.tif 000010
【図９】
2006092142.tif 000011
【図１０】
2006092142.tif 000012
【図１１】
2006092142.tif 000013
【図１２】
2006092142.tif 000014
【図１３】
2006092142.tif 000015
【図１４】
2006092142.tif 000016
【図１５】
2006092142.tif 000017